(57)【要約】  冷蔵庫は、冷蔵室扉（１１）を備えている。冷蔵室扉（１１）は、正面部材（前面側部材）（４１）と、ドアバック（背面側部材）（３１）と、カメラ取付部材（取付部材）（７０）と、小型カメラ（カメラ）（７１）とを備えている。カメラ取付部材（７０）は、ドアバック（３１）に取り付けられる。小型カメラ（７１）は、カメラ取付部材（７０）に配置されている。ドアバック（３１）には突出壁（突起部）（３２ｂ）が形成されている。カメラ取付部材（７０）は、突出壁（３２ｂ）に取り付けられる。
2018216234.tif 000002
【特許請求の範囲】
【請求項１】
扉を備えている冷蔵庫であって、
前記扉は、
前面側部材と、
前記前面側部材と対向配置された背面側部材と、
前記背面側部材に取り付けられる取付部材と、
前記取付部材に配置されているカメラと
を備え、
前記背面側部材には突起部が形成されており、
前記取付部材は、前記背面側部材上の突起部に取り付けられる、冷蔵庫。
【請求項２】
前記取付部材の前記背面側部材からの高さは、前記突起部の前記背面側部材からの高さよりも高くなっている、請求項１に記載の冷蔵庫。
【請求項３】
前記扉は、前記背面側部材側に少なくとも一つの収納ケースをさらに備えており、
少なくとも一つの前記収納ケースの少なくとも一部は、前記取付部材に対して取り付けられる、
請求項１または２に記載の冷蔵庫。
【請求項４】
複数の前記収納ケースを備え、
前記背面側部材の最下段に位置する前記収納ケースは、前記背面側部材に対して取り付けられ、
その他の前記収納ケースは、少なくとも一部が前記取付部材に対して取り付けられる、
請求項３に記載の冷蔵庫。
【請求項５】
前記最下段に位置する前記収納ケースの上端部よりも下方に、前記取付部材の下端部が位置している、請求項４に記載の冷蔵庫。
【請求項６】
前記扉は、前記背面側部材側に少なくとも一つの収納ケースをさらに備えており、
少なくとも一つの前記収納ケースは何れも、前記背面側部材に対して取り付けられる、
請求項１または２に記載の冷蔵庫。
【請求項７】
前記取付部材と前記突起部との境界部分は、ドアパッキンで覆われている、請求項１から６の何れか１項に記載の冷蔵庫。
【発明の詳細な説明】
【技術分野】
【０００１】
本発明の一局面は、扉にカメラが取り付けられている冷蔵庫に関する。
【背景技術】
【０００２】
近年、電子部品の小型化に伴って、表示パネル、および操作パネルなどのような配線基板を有する電子部品を冷蔵庫に設置することが技術的に可能となっている。また、情報通信技術の進歩に伴って、冷蔵庫などの生活家電を、インターネット接続させることへの要望が高まってきている。【０００３】
このような流れを受けて、冷蔵庫の扉に、表示パネル、操作パネル、およびカメラなどの電子部品を設置することが試みられている。また、冷蔵庫の内部を撮影可能なカメラを冷蔵庫に取り付け、遠隔地において庫内の状況を確認することのできる冷蔵庫も提案されている。【０００４】
例えば、特許文献１には、冷蔵室３の庫内を撮像する撮像カメラ１８と、撮像カメラ１８で撮像した庫内の画像を外部の装置に送信するための通信部５２とを備えている冷蔵庫１が開示されている。一例では、撮像カメラ１８は、冷蔵室３の右扉３ｂの内板１４に設けられている。そして、撮像カメラ１８に隣接するドアポケット（収納ケース）９ｂは、撮像カメラ１８側の部位が撮像カメラ１８を避ける方向に形成されている。これにより、広角レンズを採用している撮像カメラ１８の左右方向の視野を確保している。
【先行技術文献】
【特許文献】
【０００５】
【特許文献１】特開２０１５−１１１０２５号公報
【発明の概要】
【発明が解決しようとする課題】
【０００６】
上記のように、特許文献１の冷蔵庫１では、撮像カメラ１８の左右方向の視野を確保するために、ドアポケット９ｂの角部分を削り、片側が傾斜した形状を有する収容部としている。これにより、ドアポケットの容量が低下してしまう。また、ドアポケットの収容部がいびつな形状となることで、使用時の利便性の低下も起こり得る。【０００７】
そこで、本発明の一局面では、扉にカメラが取り付けられている冷蔵庫において、収納ケースの容量の低下を抑えつつ、庫内のより広範な範囲を撮影することのできる構造を提供することを目的とする。
【課題を解決するための手段】
【０００８】
本発明の一局面にかかる冷蔵庫は、扉を備えている。前記扉は、前面側部材と、前記前面側部材と対向配置された背面側部材と、前記背面側部材に取り付けられる取付部材と、前記取付部材に配置されているカメラとを備えている。前記背面側部材には突起部が形成されている。そして、前記取付部材は、前記突起部に取り付けられる。【０００９】
上記の本発明の一局面の冷蔵庫において、前記取付部材の前記背面側部材からの高さは、前記突起部の前記背面側部材からの高さよりも高くなっていてもよい。【００１０】
上記の本発明の一局面の冷蔵庫において、前記扉は、前記背面側部材側に少なくとも一つの収納ケースをさらに備えており、少なくとも一つの前記収納ケースの少なくとも一部は、前記取付部材に対して取り付けられてもよい。【００１１】
上記の本発明の一局面の冷蔵庫は、複数の前記収納ケースを備えていてもよい。そして、前記背面側部材の最下段に位置する前記収納ケースは、前記背面側部材に対して取り付けられ、その他の前記収納ケースは、少なくとも一部が前記取付部材に対して取り付けられてもよい。また、この構成の冷蔵庫において、前記最下段に位置する前記収納ケースの上端部よりも下方に、前記取付部材の下端部が位置していてもよい。【００１２】
上記の本発明の一局面の冷蔵庫において、前記扉は、前記背面側部材側に少なくとも一つの収納ケースをさらに備えており、少なくとも一つの前記収納ケースは何れも、前記背面側部材に対して取り付けられてもよい。【００１３】
また、上記の本発明の一局面の冷蔵庫において、前記取付部材と前記突起部との境界部分は、ドアパッキンで覆われていてもよい。【００１４】
また、上記の本発明の一局面の冷蔵庫において、冷蔵室などの収納室は、複数の収容部に区画されており、前記カメラは、収容部毎に設けられていてもよい。【００１５】
また、上記の本発明の一局面の冷蔵庫において、冷蔵室などの収納室内に、収納ケースがさらに備えられていてもよい。そして、前記カメラは、前記収納室内の収納ケース以外の収納領域を主として撮影するものであってもよい。
【発明の効果】
【００１６】
以上のように、本発明の一局面にかかる冷蔵庫によれば、収納ケースの容量の低下を抑えつつ、扉に取り付けられたカメラを用いて庫内のより広範な範囲を撮影することができる。
【図面の簡単な説明】
【００１７】
【図１】本発明の一実施の形態にかかる冷蔵庫の外観を示す正面図である。
【図２】第１の実施形態にかかる冷蔵庫の冷蔵室内の構成を示す正面斜視図である。
【図３】図２に示す冷蔵庫に備えられた冷蔵室扉の背面側の構成を示す平面図である。
【図４】図２に示す冷蔵庫に備えられた冷蔵室扉の背面側の構成を示す斜視図である。
【図５】図３に示す冷蔵室扉の正面部材の背面側の構成を示す斜視図である。
【図６】図３に示す冷蔵室扉を構成するドアバックの正面側の構成を示す平面図である。
【図７】（ａ）から（ｃ）は、図３に示す冷蔵室扉に取り付けられるカメラ取付部材を示す斜視図である。
【図８】図３に示す冷蔵室扉からカメラ取付部材を取り外した状態を示す斜視図である。
【図９】図３に示す冷蔵室扉の開放端部側の構成を示す側面図である。
【図１０】図３に示す冷蔵室扉にカメラ取付部材を取り付けた状態を示す斜視図である。
【図１１】図９に示す冷蔵室扉のＸ−Ｘ線部分の内部構成を示す断面図である。
【図１２】第２の実施形態にかかる冷蔵庫に備えられた冷蔵室扉の背面側の構成を示す斜視図である。
【図１３】第２の実施形態にかかる冷蔵庫に備えられた冷蔵室扉の背面側の構成を示す斜視図である。
【図１４】第３の実施形態にかかる冷蔵庫に備えられた冷蔵室扉の背面側の構成を示す斜視図である。
【図１５】第４の実施形態にかかる冷蔵庫に備えられた冷蔵室扉の背面側の構成を示す斜視図である。
【図１６】第５の実施形態にかかる冷蔵庫に備えられた冷蔵室扉の背面側の構成を示す斜視図である。
【図１７】第５の実施形態にかかる冷蔵庫に備えられた冷蔵室扉の背面側の構成を示す斜視図である。
【図１８】第６の実施形態にかかる冷蔵庫に備えられた冷蔵室扉の開放端部側の構成を示す側面図である。
【図１９】第６の実施形態の変形例にかかる冷蔵庫に備えられた冷蔵室扉の開放端部側の構成を示す側面図である。
【発明を実施するための形態】
【００１８】
以下、図面を参照しつつ、本発明の各実施形態について説明する。以下の説明では、同一の部品には同一の符号を付してある。それらの名称および機能も同じである。したがって、それらについての詳細な説明は繰り返さない。
【００１９】
〔第１の実施形態〕
本実施形態では、本発明の一実施形態にかかる冷蔵庫として、冷蔵室の扉にカメラおよび表示パネルを備えている冷蔵庫を例に挙げて説明する。但し、表示パネルを備えていない冷蔵庫も本発明の一態様である。
【００２０】
＜冷蔵庫の全体構成＞
図１には、本実施形態にかかる冷蔵庫１の外観構成を示す。冷蔵庫１は、上段に冷蔵室４、中段に冷凍室、および下段に野菜室（第２の冷蔵室）を備えている。
【００２１】
なお、冷蔵庫１における各貯蔵室の構成や配置は、上記のものに限定はされない。各貯蔵室の構成および配置は、冷蔵庫の容量、用途などに応じて適宜変更することができる。
【００２２】
また、上段の冷蔵室４には、左右に分割された観音開き（フレンチドア）式の冷蔵室扉１１（右側の冷蔵室扉）及び１２（左側の冷蔵室扉）が設けられている。本実施形態では、右側の冷蔵室扉１１の方が左側の冷蔵室扉１２よりも大きくなっている。中段の冷凍室には、引き出し式の冷凍室扉１３が設けられている。下段の野菜室には、引き出し式の野菜室扉１４が設けられている。
【００２３】
なお、冷蔵庫１における各扉の構成は、上記のものに限定はされない。各貯蔵室の扉は、各貯蔵室の構造、用途、位置などに応じて、例えば、観音開き方式、左右の何れかの端部から開閉する方式、左右両側から開閉可能な方式、引き出し方式などを適宜採用することができる。
【００２４】
本実施形態では、扉が設けられている面を冷蔵庫の前面（正面）とする。そして、前面を基準にして、冷蔵庫１を通常の状態で設置した場合に存在する位置に基づいて、冷蔵庫１の各面を、上面、側面、背面、及び底面とする。したがって、本明細書中において、「前面側」または「背面側」と規定するときは、任意の位置を基準として前面又は背面が設けられている側、あるいは、任意の位置から前面又は背面へ向かう方向のことを意味する。また、本明細書では、冷蔵庫１の前面から背面へ向かう方向および冷蔵庫１の背面から前面へ向かう方向を、前後方向と呼ぶ。また、本明細書では、冷蔵庫１の一方の側面から他方の側面へ向かう方向を、左右方向と呼ぶ。さらに、本明細書においては、冷蔵庫または冷蔵室扉の「右側」とは、冷蔵庫の正面から見て右側に当たる側のことを原則として意味し、冷蔵庫または冷蔵室扉の「左側」とは、冷蔵庫の正面から見て左側に当たる側のことを原則として意味する。
【００２５】
右側の冷蔵室扉（扉）１１には、表示パネル５０が設置されている。表示パネル５０は、冷蔵室扉１１の上下方向の中央部分に配置されている。表示パネル５０は、例えば、液晶ディスプレイ、有機ＥＬディスプレイなどで構成することができる。また、表示パネル５０は、取り外し可能とすることもできる。この場合、取り外した表示パネル５０は、タブレット端末として利用することができる。
【００２６】
表示パネル５０には、冷蔵庫の運転情報、冷蔵庫の制御情報、庫内在庫情報、カレンダ情報、レシピ情報、伝言情報などを表示させることができる。また、表示パネル５０は、後述する小型カメラ７１で撮影された庫内の映像を表示させることもできる。また、表示パネル５０がインターネット接続されている場合には、インターネットを介して得られる各種ホームページの情報を表示させることもできる。また、表示パネル５０の表示面や縁部などにタッチセンサ等の入力デバイスを設けることで、表示パネル５０から表示内容に沿った入力操作を行うこともできる。
【００２７】
＜冷蔵室および冷蔵室扉の構成＞
続いて、冷蔵室４の内部の構成、および、冷蔵室４に備えられた冷蔵室扉１１のより具体的な構成について、図２から図６を参照しながら説明する。
【００２８】
図２には、冷蔵室扉１１および１２を開放した状態での冷蔵室４の内部を示す。図３および図４には、冷蔵室扉１１の背面側（内側）の構成を示す。図５には、冷蔵室扉１１を構成する正面部材（前面側部材）４１の構成を示す。図６には、冷蔵室扉１１を構成するドアバック（背面側部材）３１の構成を示す。
【００２９】
冷蔵庫１は、断熱構造を有する断熱箱体２によってその外形が形成されている。そして、冷蔵庫１の内部は、断熱構造を有する仕切り壁によって、各貯蔵空間（冷蔵室４、冷凍室、及び野菜室など）に区画されている。
【００３０】
冷蔵室４は、貯蔵物を冷蔵保存する。図２に示すように、冷蔵室４内には、上から順に棚５ａ、５ｂ、５ｃ、および５ｄが並設されている。各棚５ａから５ｄによって、冷蔵室４内は、上から順に、第１収容部４ａ、第２収容部４ｂ、第３収容部４ｃ、および第４収容部４ｄに区切られている。また、棚５ｄの下方には、正面から見て右側にチルド室６、中央上段にたまごケース７、中央下段に小物ケース８、左側に給水タンク９が設けられている。
【００３１】
冷蔵室４の前面には、断熱材を有し、冷蔵室の左右端でそれぞれ枢支される冷蔵室扉１１および１２が設けられている。冷蔵室扉１１および１２の裏側（背面側）には、牛乳パック、お茶のポット、ペットボトル、調味料のビン及びチューブなどを収納するための収納ケース（収納容器）６１、６２、６３、６４、６５、６６が配置されている。
【００３２】
また、冷蔵室扉１１および１２の裏側には、突出壁（突起部）３２が形成されている。左側の冷蔵室扉１２には、左右両側の端部近傍に、端部に沿って上下方向に延びる突出壁３２がそれぞれ形成されている。すなわち、冷蔵室扉１２には、各収納ケース６４、６５、および６６の左右両端部を挟み込むようにして、２つの突出壁３２が設けられている。
【００３３】
右側の冷蔵室扉１１の裏側には、冷蔵室４に枢支されている側（すなわち、ヒンジ部２２側）の端部近傍に、端部に沿って上下方向に延びる突出壁３２が形成されている。また、冷蔵室扉１１の裏側の開放端部側（扉が開けられる側）には、開放端部に沿って上下方向に延びる壁状のカメラ取付部材（取付部材）７０が配置されている。
【００３４】
カメラ取付部材７０には、小型カメラ（カメラ）７１が備えられている。小型カメラ７１は、冷蔵室４内を撮影するためのものである。そのため、小型カメラ７１は、冷蔵室扉１１の背面側（すなわち、ドアバック３１）に設置されている。本実施形態では、４個の小型カメラが備えられているが、小型カメラ７１の個数は、４個に限定されない。小型カメラ７１の個数は、１個でもよいし、複数個でもよい。
【００３５】
後述するように、小型カメラ７１が備えられているカメラ取付部材７０は、冷蔵室扉１１から取り外し可能に取り付けられている。これにより、カメラを備えていない従来の冷蔵庫扉の構造を大きく変更することなく、カメラ取付部材７０を後付けすることで、冷蔵室内を撮影できるカメラを容易に冷蔵庫に設置することができる。
【００３６】
図３および図４には、冷蔵室扉１１の背面側の構成を示す。冷蔵室扉１１は、主な構成部材として、正面部材（前面側部材）４１、ドアバック（背面側部材）３１、断熱層（図示せず）、およびカメラ取付部材７０などを備えている。
【００３７】
図５には、正面部材４１の構成を示す。図５では、正面部材４１の背面（裏面）側の構成を示す。図６には、ドアバック３１の構成を示す。図６では、ドアバック３１の正面側（正面部材４１と対面する側）の構成を示す。
【００３８】
正面部材４１は、冷蔵室扉１１の正面側に位置し、冷蔵室扉１１の正面を構成する。正面部材４１には、表示パネル５０を固定する表示パネル設置板４２が設置されており（図５参照）、表示パネル設置板４２に表示パネル５０が着脱可能に取り付けられている。表示パネル５０には、小型カメラ７１で撮影された冷蔵室４内の映像を表示することができる。正面部材４１の表面における表示パネル５０設置箇所以外の部分には、ガラスパネルが嵌め込まれている。
【００３９】
なお、本発明の他の態様では、冷蔵室扉に小型カメラのみが備えられており、表示パネルは備えられていない構成も可能である。この場合には、小型カメラで撮影された庫内の映像データは、冷蔵庫内の送信部（図示せず）から、遠隔位置にあるタブレット端末などに送信される。これにより、小型カメラで撮影された庫内の映像をタブレット端末に表示させることができる。
【００４０】
ドアバック３１は、正面部材４１と対向配置され、冷蔵室扉１１の背面側を構成する。ドアバック３１は、例えば、樹脂製の板状部材で形成されている。ドアバック３１には、複数の収納ケース６１、６２、および６３が着脱可能に取り付けられている。各収納ケース６１、６２、および６３は、冷蔵室扉１１の背面を左右方向に延びるように配置されている。
【００４１】
また、冷蔵室扉１１の背面側には、扉の外周に沿うように、突出壁（突起部）３２が形成されている。突出壁３２は、土手、フランジなどとも呼ばれる。突出壁３２は、例えば、ドアバック３１を形成している樹脂製の板状部材を部分的に突出させることによって成形することができる。突出壁３２によって、冷蔵室４内の冷気が冷蔵室扉１１の側面から漏洩したり、冷蔵室４内の冷気によって冷蔵室扉１１の側縁部が結露したりすることを防止する。また、突出壁３２は、各収納ケース６１、６２、および６３を、冷蔵室扉１１の背面に安定した状態で支持するために利用される。
【００４２】
本実施形態では、冷蔵室扉１１のヒンジ部２２側の端部（図３において左側の端部）近傍において、上下方向に延びる突出壁３２が形成されている。一方、冷蔵室扉１１の開放端部側（図３において右側の端部）近傍には、カメラ取付部材７０が配置されている。そして、カメラ取付部材７０が、突出壁３２と同様の役割を果たしている。より具体的には、冷蔵室扉１１の開放端部側には、突出壁３２よりも高さの低い突出壁３２ｂが形成されている。カメラ取付部材７０は、この突出壁３２ｂに対して取り付けられる。そして、突出壁と同様の役割を果たす。なお、後述するように、突出壁３２ｂの先端部には、開口部８４が形成されている。この開口部８４内に、小型カメラ７１と接続されるハーネス８１などが配置される。
【００４３】
なお、冷蔵室扉１１の開放端部側の近傍において、最下段に配置された収納ケース６３の側方には、下部突出壁３２ａが形成されている（図４参照）。下部突出壁３２ａは、突出壁３２と同様に、ドアバック３１の形成している樹脂製の板状部材を部分的に突出させることによって成形することができる。
【００４４】
このように、冷蔵室扉１１の裏側の開放端部側では、カメラ取付部材７０と下部突出壁３２ａとで、突出壁（側壁）を形成している。
【００４５】
冷蔵室扉１１の外形は、正面部材４１の背面にドアバック３１が嵌め込まれ、センターキャップ２１およびサイドキャップ２３で側面部が覆われることによって形成される。正面部材４１とドアバック３１との間には、発泡断熱材などで形成された断熱層が配置されている。
【００４６】
断熱層は、例えば、真空断熱材、および発泡断熱材などで構成される。真空断熱材は、シート状または板状の断熱材である。発泡断熱材には、例えば、発泡ポリウレタン（硬質ウレタンフォームともいう）などが含まれる。
【００４７】
センターキャップ２１は、冷蔵室扉１１の開放端部に取り付けられている。センターキャップ２１の内部には、結露防止用の電熱ヒーターが配置されていてもよい。また、サイドキャップ２３は、冷蔵室扉１１の右側端部（開放端部の反対側の端部）に取り付けられている。サイドキャップ２３の内側には、ヒンジ部２２が設けられている（図４参照）。
【００４８】
また、冷蔵室扉１１の裏面の外周部分には、冷蔵室４内の密閉性を高めるためのドアパッキン２４が取り付けられている。ドアパッキン２４は、開放端部側には設けられていない。冷蔵室扉１１の開放端部は、センターキャップ２１に設けたパッキンによって隣接する冷蔵室扉１２の開放端部との隙間を塞ぎ、冷蔵室４内の密閉性が維持される。
【００４９】
また、カメラ取付部材７０の前面部７０ａ（突起の先端部）には、４個の小型カメラ７１（７１ａ・７１ｂ・７１ｃ・７１ｄ）が備えられている。小型カメラ７１は、例えば、ＣＣＤカメラなどで構成される。４個の小型カメラ７１のうち、最も上方の小型カメラ７１ａは、収納ケース６１の上方に位置する。小型カメラ７１ａは、冷蔵室４の第１収容部４ａを主として撮影する。上から二番目の小型カメラ７１ｂは、収納ケース６１と収納ケース６２との間に位置する。小型カメラ７１ｂは、冷蔵室４の第２収容部４ｂを主として撮影する。
【００５０】
上から三番目の小型カメラ７１ｃは、収納ケース６２の横に位置する。小型カメラ７１ｃは、冷蔵室４の第３収容部４ｃを主として撮影する。最も下方の小型カメラ７１ｄは、収納ケース６２と収納ケース６３との間に位置する。小型カメラ７１ｄは、冷蔵室４の第４収容部４ｄを主として撮影する。
【００５１】
このように、高さの異なる位置にそれぞれ配置された複数個の小型カメラ７１を備えることで、冷蔵室４内の各収容部をそれぞれの小型カメラ７１を用いて撮影することができる。そのため、撮影できない冷蔵室内の死角を減らすことができる。
【００５２】
なお、本実施形態では、カメラ取付部材７０の設置範囲は、冷蔵室扉１１の下方まで延びることなく、収納ケース６３の配置位置の上方までとなっている。すなわち、最も下方の小型カメラ７１ｄは、最下段の収納ケース６３よりも上方に位置している。
【００５３】
そして、収納ケース６３が取り付けられる位置には、カメラ取付部材７０ではなく、下部突出壁３２ａが形成される。冷蔵室扉１１の下方において、カメラ取付部材７０の代わりに下部突出壁３２ａを設けることで、大容量のペットボトル等の重量物を収納することが多い最下段の収納ケース６３は下部突出壁３２ａに支持させることができる。これにより、より安定した状態でドアバック３１に固定することができる。また、収納ケース６３の横にカメラ取付部材７０が位置する場合と比較して、収納ケース６３の容量の低下を抑えることができる。
【００５４】
図２に示すように、冷蔵室４内の最下段には、ケースで覆われたチルド室６、たまごケース７、および小物ケース８などが配置されている。これらの収容空間はケースに覆われているため、冷蔵室扉１１に設置されたカメラで撮影しても、前面に配置されたケースの前壁によって収容空間内を鮮明に撮影できない可能性が高い。そのため、本実施形態では、冷蔵室４内の最下段を撮影するための小型カメラは設置されていない。これにより、収納ケース６３が取り付けられる位置には、下部突出壁３２ａが形成され、収納ケース６３を支持する。
【００５５】
＜冷蔵室扉の内部構成およびカメラ取付部材について＞
続いて、小型カメラ７１が取り付けられる部分の冷蔵室扉１１の内部構成を図５および図６を参照しながら説明する。また、冷蔵室扉１１に取り付けられるカメラ取付部材７０のより具体的な構成について、図７から図９などを参照しながら説明する。図７（ａ）から（ｃ）は、カメラ取付部材７０を種々の方向から見た場合の図である。図８は、冷蔵室扉１１からカメラ取付部材７０を取り外した状態を示す。また、図９は、冷蔵室扉１１の開放端部側の側面図である。図９では、センターキャップ２１の図示は省略している。
【００５６】
小型カメラ７１は、カメラ取付部材７０の内部でハーネス８１と接続されている（図８参照）。ハーネス８１は、各小型カメラ７１と小型カメラ７１の制御部及び電源部とを接続する配線の集合体である。
【００５７】
本実施形態では、表示パネル５０に小型カメラ７１の制御部及び電源部が備えられている。そのため、ハーネス８１は、表示パネル５０に接続される。また、別のハーネス（図示せず）が、冷蔵庫１の本体部に配置された制御部（図示せず）からヒンジ部２２を通り、冷蔵室扉１１の正面部材４１の前面側から表示パネル５０へと接続されている。
【００５８】
そして、正面部材４１がドアバック３１と対面配置されると、（一方の先端部が表示パネル５０に接続されている）ハーネス８１の他方の先端部は、ドアバック３１の開口部８４から外側へ取り出される（図８参照）。これにより、カメラ取付部材７０の各小型カメラ７１側の配線（図示せず）と接続することができる。なお、ハーネス８１の先端部には、小型カメラ７１側の配線と接続するためのコネクタ８２が取り付けられている。
【００５９】
このようにして、冷蔵庫１の本体部から小型カメラ７１に対して電源などを供給できる。また、小型カメラ７１で撮影された画像のデータを表示パネル５０の制御基板へ送信することができる。
【００６０】
図５に示すように、表示パネル設置板４２には、コネクタ８２およびハーネス８１を通すための穴４３ａおよび４３ｂが形成されている。また、表示パネル設置板４２の背面側には、穴４３ａおよび４３ｂが配置される箇所の周囲にシール部材４３が配置されている。図５に示す例では、穴４３ａ、４３ｂおよびシール部材４３は、正面部材４１の開放端部側（センターキャップ２１側）の上下方向の略中央部に配置されている。穴４３ａ、４３ｂおよびシール部材４３の配置位置は、表示パネル設置板４２のハーネス収容部（図示せず）の位置と対応している。
【００６１】
穴４３ａおよび４３ｂの周囲にシール部材４３を配置することにより、発泡断熱材の原料の注入時に、シール部材４３によって穴４３ａおよび４３ｂの内部に原料が入り込むことを抑えることができる。本実施形態では、長方形状の２つの穴が設けられている。しかし、穴の形状および個数は、これに限定されない。
【００６２】
シール部材４３は、冷蔵室扉１１の断熱性能を維持するために、断熱を有する材料で形成されていることが好ましい。また、穴４３ａおよび４３ｂを容易に形成することができるように、断熱層の主要な構成要素である発泡ポリウレタンよりも柔らかい材料で形成することが好ましい。例えば、シール部材４３は、スポンジ、発泡スチロールなどで形成される。
【００６３】
図６には、ドアバック３１の正面側（正面部材４１と対向する側）の構成の一部を示す。図６では、ハーネス８１が配置される左側端部３１ａ側（センターキャップ２１側）の詳細な構成を示している。
【００６４】
ここでは、ドアバック３１の左側端部を３１ａとし、ドアバック３１の右側端部を３１ｂとする。左側端部３１ａは、センターキャップ２１が取り付けられる開放端部に相当する。本実施形態では、ドアバック３１の左側端部３１ａに沿って、スペーサ部材３３が配置されている。
【００６５】
スペーサ部材３３には、コネクタ８２およびハーネス８１を通すための穴３５ａおよび３５ｂが形成されている。穴３５ａおよび３５ｂの周囲には、シール部材３４ａおよび３４ｂがそれぞれ配置されている。シール部材３４ａおよび３４ｂは、発泡断熱材の原料注入時に、穴３５ａおよび３５ｂの内部に原料が入り込むことを抑えるために設けられている。また、スペーサ部材３３には、発泡断熱材の原料を注入するための注入口３６が複数個形成されている。
【００６６】
スペーサ部材３３は、例えば、プラスチック樹脂などで形成され、ドアバック３１の開放端部側の突出壁３２ｂに嵌め込まれる。これにより、突出壁３２ｂの先端部に形成された開口部８４からスペーサ部材３３の一部が露出する。また、スペーサ部材３３には、開口部８４から冷蔵室扉１１の背面側へ突出する保持部材８３（図８参照）が形成されている。
【００６７】
冷蔵室扉１１を製造する際には、ドアバック３１を正面部材４１の背面に嵌め込む。このとき、正面部材４１の穴４３ａとドアバック３１の穴３５ａとを対向させ、正面部材４１の穴４３ｂとドアバック３１の穴３５ｂと対向させるように、ドアバック３１と正面部材４１とを位置合わせする。そして、各穴の周囲のシール部材同士を密着させる。
【００６８】
この状態で、ドアバック３１と正面部材４１との間の空間を発泡断熱材で充填する。このとき、正面部材４１側の表示パネル設置板４２を下にし、ドアバック３１側のスペーサ部材３３を上にして、発泡断熱材の原液が滴下されて得られる液面が各穴（すなわち、穴４３ａと穴３５ａ、穴４３ｂと穴３５ｂ）の対向面よりも下となるように、穴の位置を予め設定する。これにより、発泡断熱材の原料液が穴に入り込んで穴を塞ぐことを抑えることができる。発泡断熱材の原液の滴下液面が各穴の対向面以上となる可能性がある場合は、穴４３ａおよび４３ｂの周囲に配したシール部材４３の厚みを厚くすることで、発泡断熱材の原料液が穴に入り込んで穴を塞ぐことを抑えることができる。
【００６９】
なお、開口部８４は、突出壁３２ｂの内部を発泡断熱材で充填した後に形成することもできる。この場合には、断熱材料の発泡後に、突出壁３２ｂの先端部を切り取って開口部８４を形成する。
【００７０】
その後、コネクタ８２およびハーネス８１を、各穴４３ａおよび４３ｂ並びに各穴３５ａおよび３５ｂを通して、表示パネル設置板４２のハーネス収容部から開口部８４へと導く。なお、なお、本実施形態では、小型カメラ７１ａ・７１ｂ・７１ｃに接続される３つのコネクタ８２およびハーネス８１は、上側に位置する穴（すなわち、穴４３ａおよび穴３５ａ）を通る。また、小型カメラ７１ｄに接続されるコネクタ８２およびハーネス８１は、下側に位置する穴（すなわち、穴４３ｂおよび穴３５ｂ）を通る。
【００７１】
以上のようにして、内部に断熱層を有した状態で、正面部材４１とドアバック３１とが対向配置されて、図８に示すような冷蔵室扉１１が構成される。そして、各小型カメラ７１が各コネクタ８２に接続された後に、カメラ取付部材７０が、突出壁３２ｂに取り付けられる。
【００７２】
続いて、図７（ａ）から図７（ｃ）を参照しながら、カメラ取付部材７０の構成を説明する。ここでは、説明の便宜上、カメラ取付部材７０を冷蔵室扉１１に取り付けた状態で、冷蔵室扉１１の裏面側から見た状態での位置を基準にして、各部の名称をつけている。図７（ａ）は、カメラ取付部材７０を、その前面部７０ａ側および開放端部側から見た状態を示す。図７（ｂ）は、カメラ取付部材７０を、その前面部７０ａ側およびサイドキャップ２３側から見た状態を示す。図７（ｃ）は、カメラ取付部材７０を、その後方側およびサイドキャップ２３側から見た状態を示す。
【００７３】
カメラ取付部材７０は、例えば、プラスチック製の樹脂で形成された樹脂成形品である。上述したように、カメラ取付部材７０は、冷蔵室扉１１の突出壁３２の一部を構成しているため、冷蔵室扉１１の上下方向に延びる壁状に形成されている。カメラ取付部材７０は、前面部７０ａ、右側面部７０ｂ、左側面部７０ｃ、および上面部７０ｅを有している。前面部７０ａには、保持部材８３にカメラ取付部材７０をネジ止めするネジ穴が設けられている。また、前面部７０ａに、小型カメラ７１などの部品やネジ穴を隠すための化粧板を重ねて設けてもよい。また、カメラ取付部材７０は、内部に空間７４を有している。この空間７４内に、小型カメラ７１（７１ａ・７１ｂ・７１ｃ・７１ｄ）の各部品および配線、並びに、コネクタ８２およびハーネス８１などが配置される。
【００７４】
カメラ取付部材７０の下方部分は、背面側に凹んだ形状を有している。つまり、カメラ取付部材７０の下方部分のドアバック３１の背面からの壁の高さＣは、カメラ取付部材７０の上方部分のドアバック３１の背面からの壁の高さＡと比較して低くなっている（図４参照）。各小型カメラ７１は、高さＡを有するカメラ取付部材７０の上方部分に配置されている。
【００７５】
また、図９に示すように、カメラ取付部材７０の下方部分の壁の高さＣは、下部突出壁３２ａの高さと略同じである。このように冷蔵室扉１１の開放端部側の突出壁は、その下方部分の高さが低くなっている。これにより、最下段の収納ケース６３に収容された飲料ボトル、飲料パックなどの貯蔵物を、冷蔵室扉１１の開放端部側から取り出し易くすることができる。
【００７６】
図７（ａ）に示すように、カメラ取付部材７０の右側面部７０ｂは、略平坦な形状を有している。そして、カメラ取付部材７０の右側面部７０ｂは、下部突出壁３２ａの側面に重なっている（図４など参照）。
【００７７】
また、図７（ｂ）および図７（ｃ）に示すように、カメラ取付部材７０の左側面部７０ｃは、その前方部分（前面部７０ａ側）と後方部分（ドアバック３１側）との間に段差部７０ｄを有している。つまり、カメラ取付部材７０は、その前方部分の横幅よりも、その後方部分の横幅が広くなっている。段差部７０ｄは、収納ケース６１および６２をドアバック３１に取り付ける際の支持部としての役割を果たす。
【００７８】
また、カメラ取付部材７０の左側面部７０ｃには、その後方部分に、収納ケース６１および６２を取り付けるための係合部７２が形成されている。本実施形態では、係合部７２は、収納ケース６１および６２の取り付け位置に複数個ずつ設けられている。なお、図示はしていないが、ドアバック３１のサイドキャップ２３側に形成された突出壁３２にも、同様の形状の係合部が形成されている。係合部は、収納ケースに形成された突起（図示せず）などと係合して、収納ケースをドアバック３１に対して固定する役割を果たす。
【００７９】
さらに、カメラ取付部材７０の左側面部７０ｃの下端部には、薄板状の差し込み部７３が設けられている。差し込み部７３は、カメラ取付部材７０が冷蔵室扉１１に取り付けられたときに、収納ケース６３と下部突出壁３２ａとの間に挟み込まれる（図１１参照）。これにより、カメラ取付部材７０が内側に浮き出すことを抑えることができる。
【００８０】
なお、冷蔵室４内の断熱性能を向上させるために、空間７４内の空き領域には、例えば、発泡スチロールなどの断熱材を配置してもよい。
【００８１】
＜冷蔵室扉へのカメラ取付部材および収納ケースの取り付けについて＞
続いて、冷蔵室扉１１へのカメラ取付部材７０および各収納ケースの取り付け方法について、図８から図１１を参照しながら説明する。図１０は、冷蔵室扉１１に、最上段の収納ケース６１と最下段の収納ケース６３とを取り付けた状態を示す。図１１には、カメラ取付部材７０の下方部分と下部突出壁３２ａとの境界部分の断面の構成を示す。図１１は、図９に示すＸ−Ｘ線部分の断面図である。
【００８２】
図８に示すように、冷蔵室扉１１の裏面の開放端部側の突出壁３２ｂの先端部には開口部８４が設けられ、開口部８４からスペーサ部材３３が露出している。スペーサ部材３３には小型カメラ７１と接続されるコネクタ８２およびハーネス８１が配置されている。また、スペーサ部材３３には、カメラ取付部材７０をネジ止め固定するための保持部材８３が設けられており、開口部８４から突出している。そして、カメラ取付部材７０は、突出壁３２ｂに取り付けられる。つまり、突出壁３２ｂに設けられた開口部８４及び開口部８４から露出するコネクタ８２およびハーネス８１を、カメラ取付部材７０で覆い隠す（カバーする）ように、カメラ取付部材７０が設置される。なお、カメラ取付部材７０を取り付ける前に、カメラ取付部材７０の内部の空間７４内において、各コネクタ８２を各小型カメラ７１と予め接続しておくのがよい。
【００８３】
カメラ取付部材７０を取り付けた後に、ドアバック３１の外周部分にドアパッキン２４を取り付ける。その後、冷蔵室扉１１の開放端部側にセンターキャップ２１を取り付ける。これにより、冷蔵室扉１１の開放端部側における、カメラ取付部材７０とドアバック３１との境界部分は、ドアパッキン２４およびセンターキャップ２１によって覆い隠される（図４参照）。したがって、冷蔵室扉１１の開放端部側の美観を保持することができる。また、カメラ取付部材７０とドアバック３１との境界部分に、汚れや埃などが入り込むことを抑えることができる。
【００８４】
その後、収納ケース６１、６２、および６３を、冷蔵室扉１１に取り付ける。本実施形態では、冷蔵室扉１１の収納ケース６１および６２を取り付けるための係合部が、カメラ取付部材７０と突出壁３２とにそれぞれ形成されている。これにより、収納ケース６１および６２は、その左右方向の一方の端部（本実施形態では、サイドキャップ２３側）が突出壁３２に対して取り付けられており、他方の端部（本実施形態では、開放端部側）がカメラ取付部材７０に対して取り付けられる。
【００８５】
また、冷蔵室扉１１の最下段の収納ケース６３を取り付けるための係合部３４は、下部突出壁３２ａと突出壁３２とにそれぞれ形成されている。これにより、最下段の収納ケース６３は、ドアバック３１に形成された突出壁３２に対して取り付けられる。
【００８６】
なお、各収納ケース６１、６２、および６３には、サイドキャップ２３側に位置する側面に補強リブ９１がそれぞれ形成されている。補強リブ９１は、各収納ケース６１、６２、および６３を冷蔵室扉１１に取り付けた際に、冷蔵室扉１１の突出壁３２に当接するような形状となっている（図１０参照）。補強リブ９１が設けられていることで、収納ケース６１、６２、および６３を冷蔵室扉１１により安定した状態で固定させることができる。すなわち、各収納ケース６１、６２、および６３を、補強リブ９１を利用して冷蔵室扉１１の突出壁３２に固定することで、収納ケースへかかる貯蔵物の重量を係合部に集中させずに分散させることができる。
【００８７】
また、収納ケース６１には、開放端部側に位置する側面に段差部９２が形成されている。図示はしていないが、収納ケース６２にも同様の段差部９２が形成されている。段差部９２は、各収納ケース６１および６２を冷蔵室扉１１に取り付けた際に、カメラ取付部材７０の段差部７０ｄに当接するような形状となっている（図１０参照）。
【００８８】
段差部９２が設けられていることで、収納ケース６１および６２を冷蔵室扉１１により安定した状態で固定させることができる。すなわち、各収納ケース６１および６２を、段差部９２を利用してカメラ取付部材７０の段差部７０ｄに固定することで、収納ケースへかかる貯蔵物の重量を係合部に集中させずに分散させることができる。なお、収納ケースの容量が比較的小さな場合、あるいは、収納ケースの耐久重量が比較的小さな場合には、段差部は設けられていなくてもよい。
【００８９】
また、最下段の収納ケース６３には、開放端部側に位置する側面に段差部９３が形成されている。段差部９３は、収納ケース６３を冷蔵室扉１１に取り付けた際に、冷蔵室扉１１の下部突出壁３２ａに当接するような形状となっている（図９および図１０参照）。段差部９３が設けられていることで、収納ケース６３を冷蔵室扉１１により安定した状態で固定させることができる。すなわち、収納ケース６３を、段差部９３を利用して冷蔵室扉１１の下部突出壁３２ａに固定することで、収納ケースへかかる貯蔵物の重量を係合部に集中させずに分散させることができる。
【００９０】
また、最下段の収納ケース６３には、飲料ボトルや飲料パックなどの比較的重い貯蔵物を載置することが多い。そのため、最下段の収納ケース６３については、後付けされるカメラ取付部材７０ではなく、ドアバック３１の下部突出壁３２ａに対して取り付けることで、収納ケース６３の安定性をより高めることができる。
【００９１】
ドアバック３１の突出壁３２及び下部突出壁３２ａは、内部に発泡断熱材が充填されている。また、ドアバック３１の突出壁３２及び下部突出壁３２ａは、ドアバック３１自体の一部であるため、後付けされるカメラ取付部材７０よりも堅牢となる。したがって、比較的重い貯蔵物を載置する最下段の収納ケース６３は、カメラ取付部材７０で支持せずにドアバック３１で支持することで、収納ケース６３を安定して支持することができる。
【００９２】
なお、図１０などに示すように、カメラ取付部材７０のドアバック３１からの高さＡは、突出壁３２のドアバック３１からの高さＢよりも高くなっている。これにより、冷蔵室扉１１が閉じられた状態で、カメラ取付部材７０の前面部７０ａに設置された小型カメラ７１を冷蔵室４の収容部のより近くに配置させることができる。
【００９３】
この構成によれば、冷蔵室４内をより撮影しやすくすることができる。また、高さＡを大きくすることで、収納ケース６１および６２の前後方向の幅によって、小型カメラ７１の視野角が狭められることをある程度抑えることができる。また、高さＡを大きくすることで最も下に配置される小型カメラ７１ｄの視野範囲に、最下段の収納ケース６３に載置される高さの高い貯蔵物が映り込むことを抑えることができる。
【００９４】
続いて、カメラ取付部材７０の下方部分と下部突出壁３２ａとの境界部分の構成について、図１１を参照しながら説明する。図１１に示すように、カメラ取付部材７０の左側面部７０ｃの下端部には、下方へ突出した差し込み部７３が形成されている。
【００９５】
また、差し込み部７３が差し込まれる下部突出壁３２ａの側面上方には、凹み部３２ｃが形成されている。凹み部３２ｃは、収納ケース６３の上端部６３ａよりも下方となる位置にまで形成されている。そして、差し込み部７３は、凹み部３２ｃと収納ケース６３との間の空間に挿入される。
【００９６】
このように、本実施形態では、収納ケース６３の上端部６３ａよりも、カメラ取付部材７０の下端部（すなわち、差し込み部７３）が下方に位置するように配置される。これにより、カメラ取付部材７０の下端部と下部突出壁３２ａとの境界を、収納ケース６３で覆い隠すことができる。そのため、冷蔵室扉１１の美観の向上につながる。
【００９７】
また、収納ケース６３を脱着する際に、収納ケース６３の上端部６３ａがカメラ取付部材７０の下端部と下部突出壁３２ａとの境界を跨がない。このため、収納ケース６３を取り外すために収納ケース６３を上方にずらすときに、収納ケース６３の上端部６３ａがカメラ取付部材７０の下端部に引っ掛かることを抑えることができる。そのため、収納ケース６３の取り外しが困難となったり、収納ケース６３の上端部６３ａやカメラ取付部材７０の下端部が破損したりすることを防止することができる。
【００９８】
また、差し込み部７３が下方へ突出していることで、万一、収納ケース６３と下部突出壁３２ａとの隙間に汚れが入り込んだ場合にも、カメラ取付部材７０の空間７４内に汚れが入り込むことを抑えることができる。
【００９９】
（まとめ）
以上のように、本実施形態にかかる冷蔵庫１では、冷蔵室４内を撮影するための小型カメラ７１が、冷蔵室扉１１に取り付けられるカメラ取付部材７０の前面部７０ａに配置されている。そして、カメラ取付部材７０は、ドアバック３１上の突出壁３２ｂに取り付けられ、突出壁の一部を構成している。
【０１００】
この構成によれば、ドアバック３１から突出している突出壁の先端部分に、冷蔵室４内を撮影するための小型カメラ７１を配置することができる。そのため、小型カメラ７１の撮影範囲が収納ケース６１および６２によって遮られることを抑えることができる。したがって、本実施形態にかかる冷蔵庫１によれば、収納ケース６１および６２の形状変更や容量の低下を抑えつつ、冷蔵室扉１１に取り付けられた小型カメラ７１を用いて冷蔵室４内のより広範な範囲を撮影することができる。
【０１０１】
また、本実施形態では、小型カメラ７１が備えられているカメラ取付部材７０は、冷蔵室扉１１から取り外し可能に取り付けられている。これにより、カメラを備えていない従来の冷蔵庫扉の構造を大きく変更することなく、カメラ取付部材７０を後付けすることで、冷蔵室内を撮影できるカメラを容易に冷蔵庫に設置することができる。
【０１０２】
また、本発明の一態様では、小型カメラ７１の電源および制御部をカメラ取付部材７０の内部に配置してもよい。これにより、従来の構造を有する冷蔵庫扉の突出壁にカメラ取付部材７０を後付けするだけで、庫内を撮影可能な冷蔵庫を提供することができる。
【０１０３】
さらに、本実施形態では、小型カメラ７１は、観音開き式の冷蔵室扉１１および１２のうち、より大きな冷蔵室扉１１の開放端部に設置されている。これにより、小型カメラ７１は、冷蔵庫１の正面から見て、冷蔵室４内の左右方向における、より中央部分に位置する。そのため、冷蔵室４内のより広い範囲を撮影することができる。
【０１０４】
〔第２の実施形態〕
続いて、本発明の第２の実施形態について説明する。第２の実施形態では、冷蔵室扉１１１におけるカメラ取付部材１７０周辺の構造が第１の実施形態とは異なる。その他の構成については、基本的に第１の実施形態と同様の構成を適用することができる。そこで、以下では、カメラ取付部材１７０の構造を中心に説明する。
【０１０５】
図１２および図１３には、第２の実施形態にかかる冷蔵庫１の冷蔵室扉１１１の背面側の構成を示す。冷蔵室扉１１１は、第１の実施形態における冷蔵室扉１１に対応する部材である。図１２は、冷蔵室扉１１１を開放端部側から見た場合であり、図１３は、冷蔵室扉１１１をサイドキャップ２３側から見た場合である。図１２および図１３では、各収納ケース６１、６２、および６３の図示は省略している。
【０１０６】
冷蔵室扉１１１は、主な構成部材として、正面部材（前面側部材）４１、ドアバック（背面側部材）１３１、断熱層（図示せず）、およびカメラ取付部材１７０などを備えている。正面部材４１は、第１の実施形態の正面部材４１と同様の構成が適用できる。また、断熱層は、第１の実施形態の断熱層と同様の構成が適用できる。
【０１０７】
ドアバック１３１は、第１の実施形態のドアバック３１と概ね同じ構成を有している。但し、ドアバック１３１における開放端部側（すなわち、センターキャップ２１が設けられている側）の突出壁の構成が、第１の実施形態のドアバック３１とは異なっている。
【０１０８】
本実施形態では、冷蔵室扉１１１の背面側を構成するドアバック１３１には、扉の外周に沿うように、突出壁（突起部）１３２および１３２ｂが形成されている。突出壁１３２は、冷蔵室扉１１１のサイドキャップ２３側に形成されている。突出壁１３２は、第１の実施形態の突出壁３２と同様の形状を有している。
【０１０９】
また、本実施形態では、ドアバック１３１の開放端部側に、突出壁１３２よりも高さの低い突出壁１３２ｂが形成されている。また、ドアバック１３１の開放端部側の下方には、第１の実施形態と同様に、下部突出壁１３２ａが形成されている。
【０１１０】
そして、本実施形態では、突出壁１３２ｂの先端部に、カメラ取付部材１７０が取り付けられている。すなわち、本実施形態では、カメラ取付部材１７０は、突出壁１３２ｂに取り付けられ、突出壁の先端部を構成している。
【０１１１】
カメラ取付部材１７０の前面部１７０ａ（突起の先端部）には、３個の小型カメラ７１（７１ａ・７１ｂ・７１ｃ）が備えられている。本実施形態では、ドアバック１３１に形成された突出壁１３２ｂにカメラ取付部材１７０が取り付けられている。そのため、カメラ取付部材１７０のドアバック１３１からの高さは、突出壁１３２のドアバック１３１からの高さよりも高くなっている。これにより、冷蔵室扉１１１が閉じられた状態で、カメラ取付部材１７０の前面部１７０ａに設置された小型カメラ７１を、冷蔵室４の収容部のより近くに配置させることができる。
【０１１２】
なお、各小型カメラ７１は、第１の実施形態と同様に、カメラ取付部材１７０の内部の空間内で、コネクタ８２およびハーネス８１と接続されている。
【０１１３】
図１２に示すように、ドアバック１３１のサイドキャップ２３側に形成された突出壁１３２には、収納ケース６１、６２、および６３を取り付けるための係合部１３４が複数個形成されている。係合部１３４は、収納ケースに形成された突起（図示せず）などと係合して、収納ケースをドアバック１３１に対して固定する役割を果たす。
【０１１４】
また、本実施形態では、図１３に示すように、ドアバック１３１の開放端部側に形成された突出壁１３２ｂおよび下部突出壁１３２ａにも、収納ケース６１、６２、および６３を取り付けるための係合部１３４が複数個形成されている。
【０１１５】
これにより、各収納ケース６１、６２、および６３を、冷蔵室扉１１１の裏面に取り付けることができる。各収納ケース６１、６２、および６３の構成は、第１の実施形態と同様の構成を適用することができる。
【０１１６】
このように、本実施形態では、冷蔵室扉１１１に取り付けられる各収納ケース６１、６２、および６３を取り付けるための係合部１３４は、何れもドアバック１３１（具体的には、突出壁１３２および１３２ｂ、並びに下部突出壁１３２ａ）に形成されている。これにより、冷蔵室扉１１１に取り付けられる各収納ケース６１、６２、および６３は、ドアバック１３１に対して直接取り付けられることになる。
【０１１７】
このように、冷蔵室扉１１１に取り付けられる全ての収納ケース６１、６２、および６３を、ドアバック１３１に対して直接取り付けることで、各収納ケースを安定した状態で固定することができる。また、各収納ケース６１、６２は、ドアバック１３１に対して直接取り付けられるため、第１の実施形態よりも各収納ケース６１、６２の横幅を広くすることができ、収納ケース６１、６２の収納量を向上させることができる。
【０１１８】
また、小型カメラ７１が備えられているカメラ取付部材１７０は、冷蔵室扉１１１から取り外し可能に取り付けられている。これにより、カメラを備えていない従来の冷蔵庫扉の構造を大きく変更することなく、カメラ取付部材１７０を後付けすることで、冷蔵室内を撮影できるカメラを容易に冷蔵庫に設置することができる。また、カメラを備えていない従来の冷蔵庫扉と同形状の収納ケースを使用することができる。
【０１１９】
〔第３の実施形態〕
続いて、本発明の第３の実施形態について説明する。第３の実施形態では、冷蔵室扉２１１におけるカメラ取付部材２７０周辺の構造が第１の実施形態とは異なる。その他の構成については、基本的に第１の実施形態と同様の構成を適用することができる。そこで、以下では、カメラ取付部材２７０の構造を中心に説明する。
【０１２０】
図１４には、第３の実施形態にかかる冷蔵庫１の冷蔵室扉２１１の背面側の構成を示す。冷蔵室扉２１１は、第１の実施形態における冷蔵室扉１１に対応する部材である。図１４は、冷蔵室扉２１１を開放端部側から見た場合である。図１４では、各収納ケース６１、６２、および６３の図示は省略している。
【０１２１】
冷蔵室扉２１１は、主な構成部材として、正面部材４１、ドアバック２３１、および断熱層を備えている。正面部材４１は、第１の実施形態の正面部材４１と同様の構成が適用できる。また、断熱層は、第１の実施形態の断熱層と同様の構成が適用できる。
【０１２２】
ドアバック２３１は、第１の実施形態のドアバック３１と概ね同じ構成を有している。但し、ドアバック２３１における開放端部側（すなわち、センターキャップ２１が設けられている側）の突出壁の構成が、第１の実施形態のドアバック３１とは異なっている。
【０１２３】
本実施形態では、冷蔵室扉２１１の背面側を構成するドアバック２３１には、扉の外周に沿うように、突出壁（突起部）１３２および２３２ｂが形成されている。突出壁１３２は、冷蔵室扉２１１のサイドキャップ２３側に形成されている。突出壁１３２は、第１の実施形態の突出壁３２と同様の形状を有している。
【０１２４】
本実施形態では、ドアバック２３１の開放端部側に、突出壁１３２よりも高さの低い突出壁２３２ｂが形成されている。また、ドアバック２３１の開放端部側の下方には、第１の実施形態と同様に、下部突出壁２３２ａが形成されている。
【０１２５】
そして、突出壁２３２ｂの先端部には、カメラ取付部材２７０が取り付けられている。すなわち、本実施形態では、カメラ取付部材２７０は、突出壁２３２ｂに取り付けられ、突出壁の先端部を構成している。
【０１２６】
カメラ取付部材２７０の前面部２７０ａ（突起の先端部）には、４個の小型カメラ７１（７１ａ・７１ｂ・７１ｃ・７１ｄ）が備えられている。本実施形態では、ドアバック２３１に形成された突出壁２３２ｂに対してカメラ取付部材２７０が取り付けられている。そのため、カメラ取付部材２７０のドアバック２３１からの高さは、突出壁２３２のドアバック２３１からの高さよりも高くなっている。これにより、冷蔵室扉２１１が閉じられた状態で、カメラ取付部材２７０の前面部２７０ａに設置された小型カメラ７１を、冷蔵室４の収容部のより近くに配置させることができる。
【０１２７】
なお、各小型カメラ７１は、第１の実施形態と同様に、カメラ取付部材２７０の内部の空間内で、コネクタ８２およびハーネス８１と接続されている。
【０１２８】
図１４に示すように、ドアバック２３１のサイドキャップ２３側に形成された突出壁２３２には、収納ケース６１、６２、および６３を取り付けるための係合部１３４が複数個形成されている。係合部１３４は、収納ケースに形成された突起（図示せず）などと係合して、収納ケースをドアバック２３１に対して固定する役割を果たす。
【０１２９】
また、本実施形態では、ドアバック２３１の開放端部側では、収納ケース６１および６２は、カメラ取付部材２７０に対して取り付けられる。
【０１３０】
すなわち、第１の実施形態と同様に、カメラ取付部材２７０の左側面部には、その後方部分に、収納ケース６１および６２を取り付けるための係合部が形成されている。また、第１の実施形態と同様に、カメラ取付部材２７０の左側面部は、その前方部分（前面部２７０ａ側）と後方部分（ドアバック２３１側）との間に段差部を有している。つまり、カメラ取付部材２７０は、その前方部分の横幅よりも、その後方部分の横幅が広くなっている。段差部は、収納ケース６１および６２をドアバック２３１に取り付ける際の支持部としての役割を果たす。
【０１３１】
また、最下段の収納ケース６３については、第１の実施形態と同様に、後付けされるカメラ取付部材２７０ではなく、ドアバック２３１の下部突出壁２３２ａに対して取り付けられる。これにより、収納ケース６３の安定性をより高めることができる。
【０１３２】
以上のように、第３の実施形態にかかる構成によれば、比較的軽量の貯蔵物が載置される収納ケース６１および６２は、カメラ取付部材２７０に対して取り付けられ、比較的重量の貯蔵物が載置される最下段の収納ケース６３は、ドアバック２３１の突出壁１３２に対して取り付けられる。
【０１３３】
この構成によれば、カメラ取付部材２７０の左側面部に第１の実施形態の段差部７０ｄと同様の段差部を設けることができるため、収納ケース６１および６２の側面に設けた段差部９２を当接させることで、収納ケース６１および６２を冷蔵室扉２１１により安定した状態で固定させることができる。また、突出壁２３２ｂの内側部分がカメラ取付部材２７０によってカバーされるため、カメラ取付部材２７０とドアバック２３１との境界部分を目立たなくすることができる。一方、カメラ取付部材２７０の右側面部７０ｂは突出壁２３２ｂを覆っていない。そのため、この構成は、突出壁２３２ｂとドアパッキンとの間に隙間が少ない場合に好適に用いられる。
【０１３４】
〔第４の実施形態〕
続いて、本発明の第４の実施形態について説明する。第４の実施形態では、冷蔵室扉３１１におけるカメラ取付部材３７０周辺の構造が第２の実施形態とは異なる。その他の構成については、基本的に第２の実施形態と同様の構成を適用することができる。そこで、以下では、カメラ取付部材３７０の構造を中心に説明する。
【０１３５】
図１５には、第４の実施形態にかかる冷蔵庫１の冷蔵室扉３１１の背面側の構成を示す。冷蔵室扉３１１は、第２の実施形態における冷蔵室扉１１１に対応する部材である。図１５は、冷蔵室扉３１１をサイドキャップ２３側から見た場合である。図１５では、各収納ケース６１、６２、および６３の図示は省略している。
【０１３６】
冷蔵室扉３１１は、主な構成部材として、正面部材（前面側部材）４１、ドアバック（背面側部材）３３１、断熱層（図示せず）、およびカメラ取付部材３７０などを備えている。正面部材４１は、第１の実施形態の正面部材４１と同様の構成が適用できる。また、断熱層は、第１の実施形態の断熱層と同様の構成が適用できる。
【０１３７】
ドアバック３３１は、第２の実施形態のドアバック１３１と概ね同じ構成を有している。但し、ドアバック３３１の開放端部側（すなわち、センターキャップ２１が設けられている側）の構成が、第２の実施形態のドアバック１３１とは異なっている。
【０１３８】
本実施形態では、冷蔵室扉３１１の背面側を構成するドアバック３３１には、扉の外周に沿うように、突出壁（突起部）１３２および３３２ｂが形成されている。突出壁１３２は、第２の実施形態の突出壁１３２と同様の形状を有している。突出壁３３２ｂは、第２の実施形態の突出壁１３２ｂと概ね同様の形状を有している。また、ドアバック３３１の開放端部側の下方には、第２の実施形態と同様に、下部突出壁３３２ａが形成されている。
【０１３９】
そして、突出壁３３２ｂの先端部には、カメラ取付部材３７０が取り付けられている。すなわち、本実施形態では、カメラ取付部材３７０は、突出壁３３２ｂに取り付けられ、突出壁の先端部を構成している。そして、カメラ取付部材３７０の前面部３７０ａ（突起の先端部）には、３個の小型カメラ７１（７１ａ・７１ｂ・７１ｃ）が備えられている。
【０１４０】
以上の構成については、第２の実施形態と略同様であるが、本実施形態では、カメラ取付部材３７０の右側面部の構成が第２の実施形態とは異なっている。本実施形態では、カメラ取付部材３７０の右側面部は、第１の実施形態と同様に、ドアバック３３１の平坦面に達する位置にまで延びている。すなわち、突出壁３３２ｂのセンターキャップ２１側の側面の全体を、カメラ取付部材３７０でカバーするような構成となっている。
【０１４１】
この構成によれば、冷蔵室扉３１１の開放端部側における、カメラ取付部材３７０とドアバック３３１との境界部分は、ドアパッキン２４およびセンターキャップ２１によって覆い隠される。したがって、冷蔵室扉３１１の開放端部側の美観を保持することができる。また、カメラ取付部材３７０とドアバック３３１との境界部分に、汚れや埃などが入り込むことを抑えることができる。
【０１４２】
〔第５の実施形態〕
続いて、本発明の第５の実施形態について説明する。第５の実施形態では、冷蔵室扉４１１におけるカメラ取付部材４７０周辺の構造が第１の実施形態とは異なる。その他の構成については、基本的に第１の実施形態と同様の構成を適用することができる。そこで、以下では、カメラ取付部材４７０の構造を中心に説明する。
【０１４３】
図１６および図１７には、第５の実施形態にかかる冷蔵庫１の冷蔵室扉４１１の背面側の構成を示す。冷蔵室扉４１１は、第１の実施形態における冷蔵室扉１１に対応する部材である。図１６および図１７は、冷蔵室扉４１１をサイドキャップ２３側から見た場合である。また、図１６では、収納ケース６２の図示を省略しており、図１７では、すべての収納ケース６１、６２、および６３の図示を省略している。
【０１４４】
冷蔵室扉４１１は、主な構成部材として、正面部材（前面側部材）４１、ドアバック（背面側部材）４３１、断熱層（図示せず）、およびカメラ取付部材４７０などを備えている。正面部材４１は、第１の実施形態の正面部材４１と同様の構成が適用できる。また、断熱層は、第１の実施形態の断熱層と同様の構成が適用できる。
【０１４５】
ドアバック４３１は、第１の実施形態のドアバック３１と概ね同じ構成を有している。但し、ドアバック４３１における開放端部側（すなわち、センターキャップ２１が設けられている側）の突出壁の形成位置の構成が、第１の実施形態のドアバック３１とは異なっている。
【０１４６】
第１の実施形態では、ドアバック３１の開放端部側には、その下方部分に下部突出壁３２ａが形成されていた。これに対して、本実施形態では、ドアバック４３１の開放端部側には、上下方向の全体にわたって突出壁は形成されておらず、抉られたような形状となっている。
【０１４７】
そして、本実施形態では、ドアバック４３１上の開放端部側の突出壁が形成される位置（突起部形成位置）には、カメラ取付部材４７０が取り付けられている。すなわち、カメラ取付部材４７０は、開放端部側の突出壁を構成している。
【０１４８】
カメラ取付部材４７０の前面部４７０ａ（突起の先端部）には、４個の小型カメラ７１（７１ａ・７１ｂ・７１ｃ・７１ｄ）が備えられている。各小型カメラ７１の配置位置は、第１の実施形態と同様にしてもよい。またあるいは、最下段の小型カメラ７１ｄをより下方に配置してもよい。
【０１４９】
カメラ取付部材４７０は、冷蔵室扉４１１の開放端部側の突出壁を構成しているため、冷蔵室扉４１１の上下方向に延びる壁状に形成されている。カメラ取付部材４７０は、前面部４７０ａ、右側面部（図示せず）、左側面部４７０ｃ、および上面部４７０ｅを有している。
【０１５０】
カメラ取付部材４７０の左側面部４７０ｃは、その前方部分（前面部４７０ａ側）と後方部分（ドアバック４３１側）との間に段差部４７０ｄを有している。つまり、カメラ取付部材４７０は、その前方部分の横幅よりも、その後方部分の横幅が広くなっている。段差部４７０ｄは、各収納ケース６１、６２、および６３をドアバック４３１に取り付ける際の支持部としての役割を果たす。
【０１５１】
また、カメラ取付部材４７０の左側面部４７０ｃには、その後方部分に、収納ケース６１および６２を取り付けるための係合部４７２が形成されている。また、本実施形態では、左側面部４７０ｃの下方部分に、最下段の収納ケース６３を取り付けるための係合部４７３が形成されている。なお、図示はしていないが、ドアバック４３１のサイドキャップ２３側に形成された突出壁４３２にも、同様の形状の係合部が形成されている。
【０１５２】
この構成によれば、各収納ケース６１、６２、および６３は、冷蔵室扉４１１のサイドキャップ２３側では突出壁４３２に対して取り付けられ、冷蔵室扉４１１の開放端部側ではカメラ取付部材４７０に対して取り付けられる。本実施形態の構成によれば、冷蔵室扉４１１の開放端部側がカメラ取付部材４７０のみで構成されるため、冷蔵室扉４１１を開けたときの美観を向上させることができる。
【０１５３】
以上のように、本発明の一態様では、冷蔵室扉４１１の開放端部側の突出壁の形成位置にカメラ取付部材４７０を取り付け、開放端部側の突出壁を構成するようにしてもよい。また、第１の実施形態と同様に、ドアバック４３１の開放端部側に、突出壁４３２よりも高さの低い突出壁を形成し、この突出壁を覆うようにカメラ取付部材４７０を取り付けてもよい。
【０１５４】
〔第６の実施形態〕
続いて、本発明の第６の実施形態について説明する。第６の実施形態では、冷蔵室扉５１１におけるカメラ取付部材５７０周辺の構造が第１の実施形態とは異なる。その他の構成については、基本的に第１の実施形態と同様の構成を適用することができる。そこで、以下では、カメラ取付部材５７０の構造を中心に説明する。
【０１５５】
図１８には、第６の実施形態にかかる冷蔵庫１の冷蔵室扉５１１の側面の構成を示す。冷蔵室扉５１１は、第１の実施形態における冷蔵室扉１１に対応する部材である。図１８は、冷蔵室扉１１の開放端部側の側面図である。図１８では、センターキャップ２１およびドアパッキン２４の図示は省略している。
【０１５６】
冷蔵室扉５１１は、主な構成部材として、正面部材（前面側部材）４１、ドアバック（背面側部材）５３１、断熱層（図示せず）、およびカメラ取付部材５７０などを備えている。正面部材４１は、第１の実施形態の正面部材４１と同様の構成が適用できる。また、断熱層は、第１の実施形態の断熱層と同様の構成が適用できる。
【０１５７】
ドアバック５３１は、第１の実施形態のドアバック３１と概ね同じ構成を有している。但し、ドアバック５３１における開放端部側の突出壁の構成が、第１の実施形態のドアバック３１とは異なっている。
【０１５８】
本実施形態では、冷蔵室扉５１１の背面側を構成するドアバック５３１には、扉の外周に沿うように、突出壁（突起部）５３２および５３２ｂが形成されている。突出壁５３２は、冷蔵室扉５１１のサイドキャップ２３側に形成されている。突出壁５３２は、第１の実施形態の突出壁３２と同様の形状を有している。
【０１５９】
本実施形態では、ドアバック５３１の開放端部側に、突出壁５３２ｂが形成されている。突出壁５３２ｂの高さ（前後方向の幅）は、突出壁５３２の高さよりも高くなっている。また、ドアバック５３１の開放端部側の下方には、第１の実施形態と同様に、下部突出壁５３２ａが形成されている。下部突出壁５３２ａの高さ（前後方向の幅）は、突出壁５３２の高さと略同じである。
【０１６０】
また、ドアバック５３１には、開放端部側に凹部５３２ｃが形成されている。図１８に示すように、凹部５３２ｃは、突出壁５３２ｂの一部を切欠くように形成されている。本実施形態では、この凹部５３２ｃにカメラ取付部材５７０が取り付けられている（図１８参照）。
【０１６１】
カメラ取付部材５７０の先端部には、小型カメラ７１が設置されている。図１８に示すように、カメラ取付部材５７０は、取り外し可能な構成となっている。
【０１６２】
本実施形態では、カメラ取付部材５７０は２個備えられている。そして、１個のカメラ取付部材５７０に対して、１個の小型カメラ７１（７１ａまたは７１ｂ）が備えられている。これにより、本実施形態では、２個の小型カメラ７１ａおよび７１ｂを用いて冷蔵室４内を撮影することができる。
【０１６３】
図１８に示すように、各カメラ取付部材５７０は、収納ケース６１および６２の配置位置を避けて配置されることが好ましい。これにより、小型カメラ７１の視野に収納ケース６１または６２が入り込むことを抑えることができる。そのため、収納ケース６１および６２の容量の低下を抑えつつ、冷蔵室４内のより広範な範囲を撮影することができる。
【０１６４】
また、収納ケース６１および６２を取り付けるための係合部を、突出壁５３２側と同様に突出壁５３２ｂに設けることができる。そして、収納ケース６１および６２の開放端部側に位置する側にも、サイドキャップ側に位置する側と同様の補強リブを設けることができる。従って、カメラを備えていない従来の冷蔵庫扉と同形状の収納ケースを使用することができ、また、カメラを備えていない従来の冷蔵庫扉と同程度に、収納ケースを支持することができる。
【０１６５】
なお、上述した第６の実施形態では、小型カメラ７１が２個設置されている構成について説明したが、小型カメラの個数はこれに限定されない。例えば、図１９に示すように、小型カメラ７１の個数は、１個のみであってもよい。小型カメラ７１の個数が１個の場合には、図１９に示すように、小型カメラ７１は、冷蔵室扉５１１の上下方向の略中央部付近に配置されることが好ましい。また、撮影範囲の広い小型カメラ７１を用いることが好ましい。
【０１６６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【０１６７】
１        ：冷蔵庫
１１      ：冷蔵室扉（扉）
３１      ：ドアバック（背面側部材）
３２      ：突出壁（突起部）
３２ａ    ：下部突出壁
３２ｂ    ：突出壁（突起部）
４１      ：正面部材（前面側部材）
４２      ：表示パネル設置板
６１      ：収納ケース
６２      ：収納ケース
６３      ：収納ケース
７０      ：カメラ取付部材（取付部材）
７１      ：小型カメラ（カメラ）
８４      ：開口部
１１１    ：冷蔵室扉（扉）
１３１    ：ドアバック（背面側部材）
１３２ｂ  ：突出壁（突起部）
１７０    ：カメラ取付部材（取付部材）
２１１    ：冷蔵室扉（扉）
２３１    ：ドアバック（背面側部材）
２３２ｂ  ：突出壁（突起部）
２７０    ：カメラ取付部材（取付部材）
３１１    ：冷蔵室扉（扉）
３３１    ：ドアバック（背面側部材）
３３２ｂ  ：突出壁（突起部）
３７０    ：カメラ取付部材（取付部材）
４１１    ：冷蔵室扉（扉）
４３１    ：ドアバック（背面側部材）
４７０    ：カメラ取付部材（取付部材）
５１１    ：冷蔵室扉（扉）
５３１    ：ドアバック（背面側部材）
５３２ｂ  ：突出壁（突起部）
５３２ｃ  ：凹部
５７０    ：カメラ取付部材（取付部材）
【図１】
2018216234.tif 000003
【図２】
2018216234.tif 000004
【図３】
2018216234.tif 000005
【図４】
2018216234.tif 000006
【図５】
2018216234.tif 000007
【図６】
2018216234.tif 000008
【図７】
2018216234.tif 000009
【図８】
2018216234.tif 000010
【図９】
2018216234.tif 000011
【図１０】
2018216234.tif 000012
【図１１】
2018216234.tif 000013
【図１２】
2018216234.tif 000014
【図１３】
2018216234.tif 000015
【図１４】
2018216234.tif 000016
【図１５】
2018216234.tif 000017
【図１６】
2018216234.tif 000018
【図１７】
2018216234.tif 000019
【図１８】
2018216234.tif 000020
【図１９】
2018216234.tif 000021
【国際調査報告】
2018216234.tif 000022
2018216234.tif 000023
2018216234.tif 000024
2018216234.tif 000025